(57)【要約】【課題】電話番号または電子メールアドレスなどの人物関連情報を設定する際のユーザの手間を、より軽減させる。【解決手段】表示部１２０が、人物の像を含む画像を表示し、操作入力部１３０は、表示部１２０が表示した画像の選択操作を受け付ける。そして、人物関連情報取得部２２０は、操作入力部１３０が受け付けた選択操作にて選択された画像に含まれる人物の像と記憶部３００の記憶する人物の画像情報とのパターンマッチングを行う。そして、当該パターンマッチングにおいて、人物関連情報取得部２２０は、選択操作にて選択された画像に含まれる人物の像に適合する人物の画像情報に対応付けられた人物関連情報を取得する。【選択図】図１２
2014016811.tif 000002
【特許請求の範囲】
【請求項１】
人物の画像情報と当該人物の人物関連情報とが対応付けられたアドレス帳を記憶する記憶部と、
人物の像を含む画像を表示する表示部と、
前記表示部が表示した画像の選択操作を受け付ける操作入力部と、
前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得部と、
を具備することを特徴とする情報機器。
【請求項２】
前記操作入力部は、前記表示部が表示した画像を所定の領域へドラッグアンドドロップする操作を当該画像の選択操作として受け付けることを特徴とする請求項１に記載の情報機器
【請求項３】
メール機能部を具備し、
前記人物関連情報取得部は、前記人物関連情報として電子メールアドレスを取得し、
前記メール機能部は、前記人物関連情報取得部が取得した前記電子メールアドレスを送信アドレスに設定した送信メールを生成する、
ことを特徴とする請求項１または請求項２に記載の情報機器。
【請求項４】
電話機能部を具備し、
前記人物関連情報取得部は、前記人物関連情報として電話番号を取得し、
前記電話機能部は、前記人物関連情報取得部が取得した前記電話番号への電話発信を行う、
ことを特徴とする請求項１から３のいずれか一項に記載の情報機器。
【請求項５】
前記人物関連情報取得部は、前記人物関連情報として位置情報を取得し、
前記表示部は、前記人物関連情報取得部が取得した前記位置情報の示す位置を地図上に表示する、
ことを特徴とする請求項１から４のいずれか一項に記載の情報機器。
【請求項６】
前記人物関連情報取得部は、前記人物関連情報として住所情報を取得し、
前記表示部は、前記人物関連情報取得部が取得した前記住所情報を表示する、
ことを特徴とする請求項１から５のいずれか一項に記載の情報機器。
【請求項７】
人物の画像情報と当該人物の人物関連情報とが対応付けられたアドレス帳を記憶する記憶部を具備する情報機器の人物関連情報取得方法であって、
人物の像を含む画像を表示する表示ステップと、
前記表示ステップにて表示した画像の選択操作を受け付ける操作入力ステップと、
前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得ステップと、
を具備することを特徴とする人物関連情報取得方法。
【請求項８】
人物の画像情報と当該人物の人物関連情報とが対応付けられたアドレス帳を記憶する記憶部を具備する情報機器に、
人物の像を含む画像を表示する表示ステップと、
前記表示ステップにて表示した画像の選択操作を受け付ける操作入力ステップと、
前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得ステップと、
を実行させるためのプログラム。
【発明の詳細な説明】
【技術分野】
【０００１】
本発明は、情報機器、人物関連情報取得方法およびプログラムに関する。
【背景技術】
【０００２】
携帯電話機やスマートフォンやパソコン（Personal Computer；ＰＣ）などで、電話発信や電子メール生成などを行う際、電話番号や電子メールアドレスなどをキー操作にて入力することは、ユーザにとって手間である。
かかる手間を軽減するため、アドレス帳が用いられている。ユーザは、電話番号や電子メールアドレスなどをアドレス帳にて選択すればよく、キー入力の手間を軽減することができる。
【０００３】
また、アドレス帳に関連して、特許文献１に記載の情報処理装置では、アイコンの表示位置までドラッグアンドドロップにより画像が移動されたとき、メーラが起動し、アドレス帳画面に替えてメール作成画面が表示される。メール作成画面に用意されるメールアドレス入力欄には、画像にリンクされている、メールアドレスフィールドに記述されているメールアドレスが自動的に入力され、メール本文の入力欄には、画像にリンクされている、氏名フィールドと会社名フィールドに記述されている氏名、会社名の文字が自動的に入力される。
これにより、直感的な操作でアプリケーションを起動させることができる、とされている。
【先行技術文献】
【特許文献】
【０００４】
【特許文献１】特開２００５−３０１６４７号公報
【発明の概要】
【発明が解決しようとする課題】
【０００５】
しかしながら、アドレス帳を用いて電話番号や電子メールアドレスを指定する場合、ユーザは、アドレス帳を開き、所望の電話番号や電子メールアドレスを探して選択する必要があり、ユーザにとって手間である。
また、特許文献１に記載の情報処理装置でも、ユーザは、アドレス帳を開き、画像を探して選択する必要があり、ユーザにとって手間である。
【０００６】
本発明は、上述の課題を解決することのできる情報機器、人物関連情報取得方法およびプログラムを提供することを目的としている。
【課題を解決するための手段】
【０００７】
この発明は上述した課題を解決するためになされたもので、本発明の一態様による情報機器は、人物の画像情報と当該人物の人物関連情報とが対応付けられたアドレス帳を記憶する記憶部と、人物の像を含む画像を表示する表示部と、前記表示部が表示した画像の選択操作を受け付ける操作入力部と、前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得部と、を具備することを特徴とする。
【０００８】
また、本発明の一態様による人物関連情報取得方法は、人物の画像情報と当該人物の人物関連情報とが対応付けられたアドレス帳を記憶する記憶部を具備する情報機器の人物関連情報取得方法であって、人物の像を含む画像を表示する表示ステップと、前記表示ステップにて表示した画像の選択操作を受け付ける操作入力ステップと、前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得ステップと、を具備することを特徴とする。
【０００９】
また、本発明の一態様によるプログラムは、人物の画像情報と当該人物の人物関連情報とが対応付けられたアドレス帳を記憶する記憶部を具備する情報機器に、人物の像を含む画像を表示する表示ステップと、前記表示ステップにて表示した画像の選択操作を受け付ける操作入力ステップと、前記選択操作にて選択された画像に含まれる人物の像と前記記憶部の記憶する人物の画像情報とのパターンマッチングを行って、前記選択操作にて選択された画像に含まれる人物の像に適合する人物の画像情報に対応付けられた人物関連情報を取得する人物関連情報取得ステップと、を実行させるためのプログラムである。
【発明の効果】
【００１０】
本発明によれば、ユーザの手間をより軽減させることができる。
【図面の簡単な説明】
【００１１】
【図１】本発明の一実施形態における通信端末装置の機能構成を示す概略ブロック図である。
【図２】同実施形態における記憶部が記憶するアドレス帳のデータ構成を模式的に示す説明図である。
【図３】同実施形態における、画像のドラッグアンドドロップによる電話発信指示操作の例を示す説明図である。
【図４】同実施形態における、表示部が表示する、電話発信を行うか否かの問合せ画面の例を示す説明図である。
【図５】同実施形態における、画像のドラッグアンドドロップによる電子メール生成画面表示指示操作の例を示す説明図である。
【図６】同実施形態における表示部が表示する電子メール生成画面の例を示す説明図である。
【図７】同実施形態における、画像のドラッグアンドドロップによる地図表示指示操作の例を示す説明図である。
【図８】同実施形態における表示部が表示する地図の例を示す説明図である。
【図９】同実施形態において、制御部が、画像のドラッグアンドドロップにて電話発信を行う処理の手順を示すフローチャートである。
【図１０】同実施形態において、制御部が、画像のドラッグアンドドロップにて電子メール生成画面を表示部に表示させる処理の手順を示すフローチャートである。
【図１１】同実施形態において、制御部が、画像のドラッグアンドドロップにて地図や住所を表示部に表示させる処理の手順を示すフローチャートである。
【図１２】情報機器における本発明の最小構成を示す概略ブロック図である。
【発明を実施するための形態】
【００１２】
以下、図面を参照して、本発明の実施の形態について説明する。以下では、本発明を携帯電話またはスマートフォンなどの通信端末装置に適用した場合を例に説明するが、本発明の適用範囲はこれに限らない。例えばパソコンや、携帯情報端末（Personal Digital Assistant；ＰＤＡ）や、通信機能を有するデジタルカメラなど、写真を管理する機能を有する様々な情報機器に本発明を適用可能である。
【００１３】
図１は、本発明の一実施形態における通信端末装置の機能構成を示す概略ブロック図である。同図において、通信端末装置１は、無線通信部１１０と、表示部１２０と、操作入力部１３０と、音声入力部１４１と、音声出力部１４２と、撮像部１５０と、制御部２００と、記憶部３００とを具備する。制御部２００は、画像ビューワ機能部２１０と、人物関連情報取得部２２０と、メール機能部２３０と、電話機能部２４０と、地図ビューワ機能部２５０とを具備する。
【００１４】
通信端末装置１は、携帯電話機またはスマートフォンなどの通信端末装置であり、携帯電話網（通信事業者が携帯電話向けに提供する通信ネットワーク）に接続して通信を行う。
無線通信部１１０は、制御部２００の制御に従って、携帯電話網に接続して通話音声データや電子メールデータなど各種データを送受信する。
【００１５】
なお、本発明にかかる無線通信部は、携帯電話網に接続するものに限らない。例えば、無線ＬＡＮ（Local Area Network）に接続する無線通信部や、ＬＡＮまたはインターネット等の通信ネットワークに有線接続する無線通信部とすることもできる。
さらには、本発明にかかる情報機器としてのパソコンが、パソコン自らの記憶している地図データを用いて地図表示を行う場合など、本発明にかかる情報機器が無線通信部を具備しない構成とすることもできる。
【００１６】
表示部１２０は、例えば液晶ディスプレイや有機ＥＬ（Organic Electro-Luminescence）ディスプレイなどの表示画面を有し、制御部２００の制御に従って動画像や静止画像やテキスト（文字）など各種画像を表示する。特に、表示部１２０は、人物の像を含む画像を表示する。例えば、撮像部１５０が人物を被写体とした画像を撮像し、表示部１２０は当該画像を表示する。
【００１７】
また、表示部１２０は、人物関連情報取得部２２０が取得した位置情報の示す位置を地図上に表示する。また、表示部１２０は、人物関連情報取得部２２０が取得した住所情報を表示する。これらの表示は、記憶部３００が記憶しているアドレス帳からユーザが選択した人物の住所を表示することに該当する。この表示については、具体的な例を用いて後述する。
【００１８】
操作入力部１３０は、表示部１２０の表示画面に設けられたタッチセンサ（タッチパネル）を有し、表示画面へのタッチ操作によるユーザ操作を検出する。特に、操作入力部１３０は、表示部１２０が表示した画像の選択操作を受け付ける。具体的には、操作入力部１３０は、表示部１２０が表示した画像を所定の領域へドラッグアンドドロップする操作を当該画像の選択操作として受け付ける。
【００１９】
但し、操作入力部１３０が具備する入力デバイスはタッチセンサに限らず、ユーザがドラッグアンドドロップ操作を行える入力デバイスであればよい。例えば、操作入力部１３０が、マウスまたはタッチパッドなど、タッチセンサ以外の入力デバイスを具備するようにしてもよい。
【００２０】
音声入力部１４１はマイクを有し、周囲音を採取して音声データに変換し、制御部２００へ出力する。
音声出力部１４２はスピーカを有し、制御部２００からの音声データに基づいて音声を出力する。
撮像部１５０は、カメラを有し、入射光を画像データに変換して制御部２００へ出力する。
【００２１】
制御部２００は、通信端末装置１の各部を制御して各種機能を実行する。制御部２００は、例えば通信端末装置１の具備するＣＰＵ（Central Processing Unit、中央処理装置）が通信端末装置１の具備する記憶デバイス（例えば、記憶部３００）からプログラムを読み出して実行することで実現される。制御部２００の各部は、例えば、ＣＰＵが実行するプログラムのモジュール（サブルーチン等）として実現される。
【００２２】
画像ビューワ機能部２１０は、撮像部１５０が撮像した画像など各種画像を表示部１２０に表示させる。
人物関連情報取得部２２０は、画像ビューワ機能部２１０が表示部１２０に表示させた画像のうちユーザの選択操作にて選択された画像に含まれる人物の像と、記憶部３００の記憶する人物の画像情報とのパターンマッチングを行う。そして、人物関連情報取得部２２０は、選択操作にて選択された画像に含まれる人物の像に適合する人物の画像情報に対応付けられた人物関連情報を取得する。
【００２３】
ここでいう人物関連情報は、ある人物の電話番号あるいは電子メールアドレスなど、ある人物に関連する情報である。例えば、人物関連情報取得部２２０は、人物関連情報として電子メールアドレスを取得する。また、例えば、人物関連情報取得部２２０は、人物関連情報として電話番号を取得する。また、例えば、人物関連情報取得部２２０は、人物関連情報として位置情報を取得する。また、例えば、人物関連情報取得部２２０は、人物関連情報として住所情報を取得する。
人物関連情報取得部２２０が、人物関連情報を取得することで、ユーザが当該人物関連情報を入力する手間を省くことができる。人物関連情報取得部２２０が人物関連情報を取得する具体例については後述する。
【００２４】
メール機能部２３０は、電子メール機能を実行する。例えば、電子メール生成画面を表示部１２０に表示させて送信メールを生成し、ユーザ操作に応じて無線通信部１１０に電子メールデータを送信させる。また、メール機能部２３０は、受信メールを表示部１２０に表示させる。
特に、メール機能部２３０は、電子メール生成の際、人物関連情報取得部２２０が取得した電子メールアドレスを送信アドレスに設定した送信メールを生成する。これにより、ユーザが送信アドレスを入力する手間を省くことができる。
【００２５】
電話機能部２４０は、電話機能を実行する。例えば、電話機能部２４０は、ユーザ操作に応じて電話発信を行い、呼が確立すると通話音声データを無線通信部１１０に送受信させる。また、電話機能部２４０は、電話着信の際、電話着信をユーザに通知し、ユーザの通話開始操作に応じて着信応答処理を行い、呼が確立すると通話音声データを無線通信部１１０に送受信させる。
特に、電話機能部２４０は、電話発信の際、人物関連情報取得部２２０が取得した電話番号への電話発信を行う。これにより、ユーザが電話番号を入力する手間を省くことができる。
【００２６】
地図ビューワ機能部２５０は、地図機能を実行する。特に、地図ビューワ機能部２５０は、人物関連情報取得部２２０が取得した位置情報または住所情報の示す位置の地図を表示部１２０に表示させる。これにより、地図の表示に際してユーザが位置情報または住所情報等を入力する手間を省くことができる。
【００２７】
記憶部３００は、通信端末装置１の具備する記憶デバイスにて実現され、各種データを記憶する。特に、記憶部３００は、人物の画像情報と当該人物の人物関連情報とが対応付けられたアドレス帳を記憶する。
図２は、記憶部３００が記憶するアドレス帳のデータ構成を模式的に示す説明図である。同図に示すように、記憶部３００は、人物毎に、当該人物の画像データと名前と電話番号と電子メールアドレスと住所情報と、当該住所の位置情報（緯度および経度）とを対応付けて記憶している。
【００２８】
ここで、記憶部３００が記憶する人物の画像データは、本発明における人物の画像情報の一例であり、これに限らない。記憶部３００が記憶する人物の画像情報は、画像データとパターンマッチング可能な情報であればよい。例えば、記憶部３００が、人物の画像データに代えて、当該画像の特徴ベクトルを記憶するようにしてもよい。
【００２９】
ここでいう特徴ベクトルは、人物関連情報取得部２２０が行うパターンマッチングにおける特徴量を示すベクトルである。例えば、人物関連情報取得部２２０が、アドレス帳に登録されている各人物の画像データから、パターンマッチングのための特徴量抽出を予め行っておき、特徴ベクトルとして記憶部３００に記憶させておくようにしてもよい。特徴量抽出を予め行っておくことで、人物関連情報取得部２２０は、より速やかにパターンマッチングを行うことができる。
【００３０】
なお、通信端末装置１が、位置情報と住所情報とを相互に変換できるようにしてもよい。位置情報は、地図ビューワ機能部２５０が、該当する住所の地図を表示部１２０に表示させるのに適した情報である。従って、地図ビューワ機能部２５０が、住所情報に基づいて地図にて表示する場所を決定するようにしてもよい。
【００３１】
次に、図３〜図１１を参照して、通信端末装置１の動作について説明する。
図３は、画像のドラッグアンドドロップによる電話発信指示操作の例を示す説明図である。
同図において、画像ビューワ機能部２１０は、領域Ａ１１に、撮像部１５０が撮像した画像など、記憶部３００が記憶している画像データの示す画像をサムネイル（Thumbnail）表示している。加えて、画像ビューワ機能部２１０は、電話発信指示操作用のアイコンＩ１１と、電子メール生成画面表示指示操作用のアイコンＩ１２と、地図表示指示操作用のアイコンＩ１３とを、表示部１２０に表示させている。
【００３２】
また、図３の線Ｌ１１は、アイコンＩ１１への画像のドラッグアンドドロップ操作を示している。ユーザは、領域Ａ１１に表示されている画像のいずれかをアイコンＩ１１へドラッグアンドドロップする操作にて、電話発信を指示する。具体的には、ユーザが当該画像にタッチし、押下したまま指を動かすと、画像ビューワ機能部２１０は、指の動きに従って当該画像を動かす。そして、当該画像がアイコンＩ１１に重なった状態でユーザが指を離すと、電話機能部２４０が、当該画像に写っている人物へ電話発信を行うか否かをユーザに問い合わせる。
【００３３】
図４は、表示部１２０が表示する、電話発信を行うか否かの問合せ画面の例を示す説明図である。
同図において、電話機能部２４０は、アイコンＩ１１（図３）へドラッグアンドドロップされた画像に写っている人物であるＡさんへ電話発信を行うか否かの問合せ画面を、ポップアップウィンドウにて表示部１２０に表示させている。当該問合せ画面の発信ボタンＢ１１へのタッチを操作入力部１３０が検出すると、電話機能部２４０は、電話発信を実行する。一方、キャンセルボタンＢ１２へのタッチを操作入力部１３０が検出すると、電話機能部２４０は、電話発信を行わずに、表示部１２０の表示している問合せ画面を消去させる。これにより、表示部１２０は、図３のように画像をサムネイル表示している状態に戻る。
なお、電話機能部２４０が、電話発信を行うか否かの問合せを行わずにそのまま発信するようにしてもよい。
【００３４】
図５は、画像のドラッグアンドドロップによる電子メール生成画面表示指示操作の例を示す説明図である。
同図において、図３の例と同様、画像ビューワ機能部２１０は、領域Ａ１１に、撮像部１５０が撮像した画像など、記憶部３００が記憶している画像データの示す画像をサムネイル表示している。加えて、図３の例と同様、画像ビューワ機能部２１０は、電話発信指示操作用のアイコンＩ１１と、電子メール生成画面表示指示操作用のアイコンＩ１２と、地図表示指示操作用のアイコンＩ１３とを、表示部１２０に表示させている。
【００３５】
また、図５の線Ｌ２１は、アイコンＩ１２への画像のドラッグアンドドロップ操作を示している。ユーザは、領域Ａ１１に表示されている画像のいずれかをアイコンＩ１２へドラッグアンドドロップする操作にて、電子メール生成画面の表示を指示する。具体的には、ユーザが当該画像にタッチし、押下したまま指を動かすと、画像ビューワ機能部２１０は、指の動きに従って当該画像を動かす。そして、当該画像がアイコンＩ１２に重なった状態でユーザが指を離すと、メール機能部２３０が、当該画像に写っている人物宛の電子メール生成画面を表示部１２０に表示させる。
【００３６】
図６は、表示部１２０が表示する電子メール生成画面の例を示す説明図である。
同図において、メール機能部２３０は、電子メール生成画面をポップアップウィンドウにて表示部１２０に表示させている。そして、メール機能部２３０は、送信先アドレスとして、アイコンＩ１２（図５）へドラッグアンドドロップされた画像に写っている人物であるＡさんの電子メールアドレスを設定している。
【００３７】
図７は、画像のドラッグアンドドロップによる地図表示指示操作の例を示す説明図である。
同図において、図３の例と同様、画像ビューワ機能部２１０は、領域Ａ１１に、撮像部１５０が撮像した画像など、記憶部３００が記憶している画像データの示す画像をサムネイル表示している。加えて、図３の例と同様、画像ビューワ機能部２１０は、電話発信指示操作用のアイコンＩ１１と、電子メール生成画面表示指示操作用のアイコンＩ１２と、地図表示指示操作用のアイコンＩ１３とを、表示部１２０に表示させている。
【００３８】
また、図７の線Ｌ３１は、アイコンＩ１３への画像のドラッグアンドドロップ操作を示している。ユーザは、領域Ａ１１に表示されている画像のいずれかをアイコンＩ１３へドラッグアンドドロップする操作にて、地図の表示を指示する。具体的には、ユーザが当該画像にタッチし、押下したまま指を動かすと、画像ビューワ機能部２１０は、指の動きに従って当該画像を動かす。そして、当該画像がアイコンＩ１３に重なった状態でユーザが指を離すと、地図ビューワ機能部２５０が、当該画像に写っている人物の住所を示す地図と、当該住所とを表示部１２０に表示させる。
【００３９】
図８は、表示部１２０が表示する地図の例を示す説明図である。
同図において、地図ビューワ機能部２５０は、アイコンＩ１３（図７）へドラッグアンドドロップされた画像に写っている人物であるＡさんの住所を示す地図を、ポップアップウィンドウにて表示部１２０に表示させている。また、地図ビューワ機能部２５０は、表示部１２０に、Ａさんの住所をテキストにて領域Ａ３１に表示させている。テキストによる住所の表示は行わないように、設定できてもよい。
【００４０】
図９は、制御部２００が、画像のドラッグアンドドロップにて電話発信を行う処理の手順を示すフローチャートである。制御部２００は、画像をアイコンＩ１１（図３）へドラッグアンドドロップする操作を操作入力部１３０が検出すると、図９の処理を開始する。
図９の処理において、まず、人物関連情報取得部２２０は、アイコンＩ１１へドラッグアンドドロップされた画像と、記憶部３００の記憶しているアドレス帳に含まれる画像データの示す画像とのパターンマッチングを行う（ステップＳ１０１）。
【００４１】
そして、人物関連情報取得部２２０は、ステップＳ１０１でのパターンマッチングの結果に基づいて、アドレス帳に登録されている人物のうち、ドラッグアンドドロップされた画像に写っている人物がいるか否かを判定する（ステップＳ１０２）。なお、以下では、アドレス帳に登録されている人物のうち、ドラッグアンドドロップされた画像に写っている人物であると人物関連情報取得部２２０が判定した人物を、「一致人物」と称する。
【００４２】
例えば、人物関連情報取得部２２０は、ステップＳ１０１において、まず、ドラッグアンドドロップされた画像から、人物の像を抽出する（切り出す）。その際、複数の人物が写っている場合、人物関連情報取得部２２０は各人物の像を抽出する。
そして、人物関連情報取得部２２０は、抽出した人物の像と、記憶部３００の記憶しているアドレス帳に含まれる各画像データの示す画像とのパターンマッチングを行って、同一人物か否かを判定する。複数の人物の像を抽出した場合は、それぞれの像について、当該処理を行う。
【００４３】
そして、人物関連情報取得部２２０は、同一人物と判定する人物が１人でもいれば、ステップＳ１０２において、一致人物がいると判定する。一方、人物関連情報取得部２２０は、同一人物と判定する人物が１人もいなければ、ステップＳ１０２において、一致人物はいないと判定する。
【００４４】
ステップＳ１０２において、一致人物がいると判定した場合（ステップＳ１０２：ＹＥＳ）、人物関連情報取得部２２０は、当該一致人物の電話番号や名前を、記憶部３００の記憶するアドレス帳から読み出して、電話機能部２４０へ出力する（ステップＳ１１１）。その際、一致人物が複数いる場合、人物関連情報取得部２２０は、各人物の電話番号や名前をアドレス帳から読み出し、読み出した電話番号や名前を全て電話機能部２４０へ出力する。
【００４５】
人物関連情報取得部２２０から電話番号や名前の出力を受けた電話機能部２４０は、図４に例示したように、当該電話番号への電話発信を行うか否かの問合せ画面を表示部１２０に表示させる（ステップＳ１１２）。
そして、電話機能部２４０は、発信またはキャンセルの選択操作を、操作入力部１３０が検出するのを待ち受け（ステップＳ１１３）、発信が選択されたか否かを判定する（ステップＳ１１４）。
【００４６】
発信が選択されたと判定した場合（ステップＳ１１４：ＹＥＳ）、電話機能部２４０は、該当する電話番号への電話発信および通話処理を行う（ステップＳ１２１）。すなわち、電話機能部２４０は、携帯電話網に対して該当する電話番号への呼接続要求を行い、呼が確立すると、通話音声送受信の制御等を行う。
通話が終了すると、画像ビューワ機能部２１０が表示部１２０に画像のビューワを表示させる状態へ復帰する（ステップＳ１４１）。
その後、図９の処理を終了する。
なお、画像ビューワ機能部２１０が表示部１２０に画像のビューワを表示させる状態へ復帰のタイミングは、通話が終了したタイミングに限らない。例えば、通話終了前に、画像ビューワ機能部２１０が表示部１２０に画像のビューワを表示させる状態へ復帰するようにしてもよい。また、ユーザが復帰タイミングを設定可能としてもよい。
【００４７】
一方、ステップＳ１１４において、発信が選択されていない（すなわち、キャンセルが選択された）と判定した場合（ステップＳ１１４：ＮＯ）、ステップＳ１４１へ進む。
一方、ステップＳ１０２において、一致人物がいないと判定した場合（ステップＳ１０２：ＮＯ）、人物関連情報取得部２２０は、該当する人物がいなかったことを通知する画面を表示部１２０に表示させる（ステップＳ１３１）。
【００４８】
そして、人物関連情報取得部２２０は、確認済みを示すユーザ操作を操作入力部１３０が検出したか否かを判定する（ステップＳ１３２）。例えば、表示部１２０が、該当する人物がいなかったことを通知する画面に「確認済」ボタンを表示し、人物関連情報取得部２２０は、当該「確認済」ボタンへのタッチを操作入力部１３０が検出したか否かを判定する。
【００４９】
確認済みを示すユーザ操作を検出していないと判定した場合（ステップＳ１３２：ＮＯ）、ステップＳ１３２へ戻る。戻る。すなわち、人物関連情報取得部２２０は、ユーザの確認完了を待ち受ける。
一方、確認済みを示すユーザ操作を検出したと判定した場合（ステップＳ１３２：ＹＥＳ）、人物関連情報取得部２２０は、ステップＳ１３１にて表示部１２０に表示させた、該当する人物がいなかったことを通知する画面消去させる（ステップＳ１３３）。その後、ステップＳ１４１へ進む。
【００５０】
なお、一致人物が複数いる場合、ステップＳ１２１において、電話機能部２４０は、該当する人物のいずれに発信するかをユーザに問い合わせ、ユーザが選択した人物への電話発信を行う。あるいは、電話機能部２４０が、複数の相手に同時に電話発信可能な電話会議機能を有し、該当する人物全てへの電話発信を行うようにしてもよい。
【００５１】
図１０は、制御部２００が、画像のドラッグアンドドロップにて電子メール生成画面を表示部１２０に表示させる処理の手順を示すフローチャートである。制御部２００は、画像をアイコンＩ１２（図５）へドラッグアンドドロップする操作を操作入力部１３０が検出すると、図１０の処理を開始する。
【００５２】
図１０の処理において、まず、人物関連情報取得部２２０は、アイコンＩ１２へドラッグアンドドロップされた画像と、記憶部３００の記憶しているアドレス帳に含まれる画像データの示す画像とのパターンマッチングを行う（ステップＳ２０１）。
ステップＳ２０１におけるパターンマッチング、および、ステップＳ２０２における判定は、図９のステップＳ１０１およびＳ１０２と同様である。
【００５３】
ステップＳ２０２において、一致人物がいると判定した場合（ステップＳ２０２：ＹＥＳ）、人物関連情報取得部２２０は、当該一致人物の電子メールアドレスと名前とを、記憶部３００の記憶するアドレス帳から読み出して、メール機能部２３０へ出力する（ステップＳ２１１）。その際、一致人物が複数いる場合、人物関連情報取得部２２０は、各人物の電子メールアドレスをアドレス帳から読み出し、読み出した電子メールアドレスを全てメール機能部２３０へ出力する。
【００５４】
人物関連情報取得部２２０から電子メールアドレスと名前との出力を受けたメール機能部２３０は、電子メール生成画面を表示部１２０に表示させる（ステップＳ２１２）。そして、メール機能部２３０は、当該電子メールアドレスを送信アドレスとして設定し、図６に例示したように、電子メール生成画面の送信先名前欄に、名前を表示させる（ステップＳ２１３）。
そして、メール機能部２３０は、電子メール生成終了操作（キャンセル操作）を操作入力部１３０が検出したか否かを判定する（ステップＳ２１４）。
【００５５】
電子メール生成終了操作を検出したと判定した場合、（ステップＳ２１４：ＹＥＳ）、画像ビューワ機能部２１０が表示部１２０に画像のビューワを表示させる状態へ復帰する（ステップＳ１４１）。
一方、電子メール生成終了操作を検出していないと判定した場合、（ステップＳ２１４：ＮＯ）、メール機能部２３０は、電子メール送信操作を操作入力部１３０が検出したか否かを判定する（ステップＳ２２１）。
【００５６】
電子メール送信操作を検出したと判定した場合（ステップＳ２２１：ＹＥＳ）、メール機能部２３０は、生成した電子メールの送信を行う（ステップＳ２３１）。その後、ステップＳ２６１へ進む。
一方、ステップＳ２２１において、電子メール送信操作を検出していないと判定した場合（ステップＳ２２１：ＮＯ）、メール機能部２３０は、件名や本文へのテキストの入力など、ユーザ操作に応じて電子メールを生成する処理を行う（ステップＳ２４１）。その後、ステップＳ２１４へ戻る。
【００５７】
一方、ステップＳ２０２において、一致人物がいないと判定した場合（ステップＳ２０２：ＮＯ）、ステップＳ２５１へ進む。ステップＳ２５１〜Ｓ２５３は、図９のステップＳ１３１〜Ｓ１３３と同様である。
ステップＳ２５３の後、ステップＳ２６１へ進む。
【００５８】
なお、一致人物が複数いる場合、ステップＳ２１３において、メール機能部２３０は、該当する人物全ての電子メールアドレスを、送信先アドレスとして設定する。ユーザは、不要な電子メールアドレスを削除することで、実際に電子メールを送信する送信先を選択できる。
【００５９】
図１１は、制御部２００が、画像のドラッグアンドドロップにて地図や住所を表示部１２０に表示させる処理の手順を示すフローチャートである。制御部２００は、画像をアイコンＩ１３（図７）へドラッグアンドドロップする操作を操作入力部１３０が検出すると、図１１の処理を開始する。
【００６０】
図１１の処理において、まず、人物関連情報取得部２２０は、アイコンＩ１３へドラッグアンドドロップされた画像と、記憶部３００の記憶しているアドレス帳に含まれる画像データの示す画像とのパターンマッチングを行う（ステップＳ３０１）。
ステップＳ３０１におけるパターンマッチング、および、ステップＳ３０２における判定は、図９のステップＳ１０１およびＳ１０２と同様である。
【００６１】
ステップＳ３０２において、一致人物がいると判定した場合（ステップＳ３０２：ＹＥＳ）、人物関連情報取得部２２０は、当該一致人物の住所情報や位置情報や名前を、記憶部３００の記憶するアドレス帳から読み出して、地図ビューワ機能部２５０へ出力する（ステップＳ２１１）。その際、一致人物が複数いる場合、人物関連情報取得部２２０は、各人物の住所情報や位置情報や名前をアドレス帳から読み出し、読み出した住所情報や位置情報や名前を全て地図ビューワ機能部２５０へ出力する。
【００６２】
人物関連情報取得部２２０から住所情報や位置情報や名前の出力を受けた地図ビューワ機能部２５０は、当該位置情報の示す位置の地図を表示部１２０に表示させる（ステップＳ３１２）。なお、地図ビューワ機能部２５０が用いる地図データを、記憶部３００が記憶しておくようにしてもよいし、無線通信部１１０が通信にて取得するようにしてもよい。
【００６３】
次に、地図ビューワ機能部２５０は、図８に例示したように、ステップＳ３１２における地図の表示に加えて、人物関連情報取得部２２０からの住所情報の示す住所を表示部１２０に表示させる（ステップＳ３１３）。
そして、地図ビューワ機能部２５０は、地図表示終了を指示する操作を操作入力部１３０が検出したか否かを判定する（ステップＳ３１４）。
【００６４】
地図表示終了を指示する操作を検出したと判定した場合（ステップＳ３１４：ＹＥＳ）、画像ビューワ機能部２１０が表示部１２０に画像のビューワを表示させる状態へ復帰する（ステップＳ３４１）。
一方、地図表示終了を指示する操作を検出したと判定した場合（ステップＳ３１４：ＮＯ）、地図ビューワ機能部２５０は、地図の拡大縮小やスクロールなど、ユーザ操作に応じて地図の表示を変化させる処理を行う（ステップＳ３２１）。その後、ステップＳ３１４へ戻る。
【００６５】
一方、ステップＳ３０２において、一致人物がいないと判定した場合（ステップＳ３０２：ＮＯ）、ステップＳ３３１へ進む。ステップＳ３３１〜Ｓ３３３は、図９のステップＳ１３１〜Ｓ１３３と同様である。
ステップＳ３３３の後、ステップＳ３４１へ進む。
【００６６】
なお、一致人物が複数いる場合、ステップＳ３１２において、地図ビューワ機能部２５０は、該当する人物のいずれの情報を表示するかをユーザに問い合わせ、ユーザが選択した人物の住所および名前や当該住所の地図を表示部１２０に表示させる。
あるいは、地図ビューワ機能部２５０が、該当する人物全ての住所および名前を地図上のマーカにて示すようにしてもよい。この場合、ステップＳ３１３において、地図ビューワ機能部２５０が、該当する人物全ての住所を表示部１２０に表示させるようにしてもよいし、あるいは、ユーザがタッチしたマーカの示す住所および名前など、ユーザが選択した住所および名前を選択して表示部１２０に表示させるようにしてもよい。
【００６７】
以上のように、表示部１２０が、人物の像を含む画像を表示し、操作入力部１３０は、表示部１２０が表示した画像の選択操作を受け付ける。そして、人物関連情報取得部２２０は、操作入力部１３０が受け付けた選択操作にて選択された画像に含まれる人物の像と記憶部３００の記憶する人物の画像情報とのパターンマッチングを行う。そして、当該パターンマッチングにおいて、人物関連情報取得部２２０は、選択操作にて選択された画像に含まれる人物の像に適合する人物の画像情報に対応付けられた人物関連情報を取得する。
これにより、ユーザは、表示部１２０が表示している画像のいずれかを選択するという簡単な操作で、所望の人物の人物関連情報（例えば、電話番号や電子メールアドレスや住所情報など）を選択することができる。従って、通信端末装置１では、ユーザが当該人物関連情報を入力する手間を省くことができる。
【００６８】
特に、ユーザは、表示部１２０が表示している画像のいずれかを選択すればよく、アドレス帳を開く必要が無い。従って、通信端末装置１では、ユーザがアドレス帳を開く手間を省くことができ、この点においてユーザの手間をより軽減させることができる。
例えば、ユーザが、撮像部１５０の撮像した画像をビューワにて閲覧している際に、画像に写っている人物にメールを送信したくなった場合、該当する画像を選択することで、アドレス帳を開かずとも容易に送信メールに電子メールアドレスを設定できる。
しかも、画像に複数の人物が写っている場合、全員の電子メールアドレスを設定し得る。
【００６９】
また、操作入力部１３０は、表示部１２０が表示した画像を所定の領域へドラッグアンドドロップする操作を当該画像の選択操作として受け付ける。ここでいう所定の領域は、図３等に示すアイコンＩ１１〜Ｉ１３のように、通信端末装置１が実行する機能に対応したアイコンの表示領域であってもよいし、あるいは、電子メール生成画面における送信先アドレス欄等であってもよい。
これにより、ユーザは、画像のドラッグアンドドロップという簡単かつ直感的な操作にて、人物関連情報を選択することができる。
【００７０】
また、人物関連情報取得部２２０は、人物関連情報として電子メールアドレスを取得し、メール機能部２３０は、人物関連情報取得部２２０が取得した電子メールアドレスを送信アドレスに設定した送信メールを生成する。
これにより、ユーザは、表示部１２０の表示する画像のいずれかを選択するという簡単な操作にて、所望の宛先に電子メールを送信し得る。
【００７１】
また、人物関連情報取得部２２０は、人物関連情報として電話番号を取得し、電話機能部２４０は、人物関連情報取得部２２０が取得した電話番号への電話発信を行う。
これにより、ユーザは、表示部１２０の表示する画像のいずれかを選択するという簡単な操作にて、所望の相手と通話し得る。
【００７２】
また、人物関連情報取得部２２０は、人物関連情報として位置情報を取得し、表示部１２０は、人物関連情報取得部２２０が取得した位置情報の示す位置を地図上に表示する。
これにより、ユーザは、表示部１２０の表示する画像のいずれかを選択するという簡単な操作にて、所望の人物の住所を地図上で確認し得る。
【００７３】
また、人物関連情報取得部２２０は、人物関連情報として住所情報を取得し、表示部１２０は、人物関連情報取得部２２０が取得した住所情報を表示する。
これにより、ユーザは、表示部１２０の表示する画像のいずれかを選択するという簡単な操作にて、所望の人物の住所を知り得る。
【００７４】
なお、人物関連情報取得部２２０が行うパターンマッチングにおいて、ユーザの選択した画像に含まれる人物の像が、アドレス帳の複数の人物の画像情報にマッチした場合、人物関連情報取得部２２０が、いずれの人物の情報を選択すべきかをユーザに問い合わせるようにしてもよい。これにより、人物関連情報取得部２２０が誤判定にて不適切な人物関連情報を選択するおそれを低減させることができる。同様に、パターンマッチングにおけるスコア（マッチの度合い）が所定の閾値よりも低い場合に、人物関連情報取得部２２０が、いずれの人物の情報を選択すべきかをユーザに問い合わせるようにしてもよい。
【００７５】
次に、図１２を参照して本発明の最小構成について説明する。
図１２は、情報機器における本発明の最小構成を示す概略ブロック図である。同図において、情報機器２は、表示部１２０と、操作入力部１３０と、人物関連情報取得部２２０と、記憶部３００とを具備する。同図において図１の各部に対応して同様の機能を有する部分には、同一の符号（１２０、１３０、２２０、３００）を付して説明を省略する。
【００７６】
図１２に示す構成において、図１の通信端末装置１の場合と同様、表示部１２０が、人物の像を含む画像を表示し、操作入力部１３０は、表示部１２０が表示した画像の選択操作を受け付ける。そして、人物関連情報取得部２２０は、操作入力部１３０が受け付けた選択操作にて選択された画像に含まれる人物の像と記憶部３００の記憶する人物の画像情報とのパターンマッチングを行う。そして、当該パターンマッチングにおいて、人物関連情報取得部２２０は、選択操作にて選択された画像に含まれる人物の像に適合する人物の画像情報に対応付けられた人物関連情報を取得する。
これにより、ユーザは、表示部１２０が表示している画像のいずれかを選択するという簡単な操作で、所望の人物の人物関連情報（例えば、電話番号や電子メールアドレスや住所情報など）を選択することができる。従って、通信端末装置１では、ユーザが当該人物関連情報を入力する手間を省くことができる。
【００７７】
特に、ユーザは、表示部１２０が表示している画像のいずれかを選択すればよく、アドレス帳を開く必要が無い。従って、通信端末装置１では、ユーザがアドレス帳を開く手間を省くことができ、この点においてユーザの手間をより軽減させることができる。
例えば、ユーザが、撮像部１５０の撮像した画像をビューワにて閲覧している際に、画像に写っている人物にメールを送信したくなった場合、該当する画像を選択することで、アドレス帳を開かずとも容易に送信メールに電子メールアドレスを設定できる。
しかも、画像に複数の人物が写っている場合、全員の電子メールアドレスを設定し得る。
【００７８】
なお、制御部２００または人物関連情報取得部２２０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００８０】
１  通信端末装置
２  情報機器
１１０  無線通信部
１２０  表示部
１３０  操作入力部
１４１  音声入力部
１４２  音声出力部
１５０  撮像部
２００  制御部
２１０  画像ビューワ機能部
２２０  人物関連情報取得部
２３０  メール機能部
２４０  電話機能部
２５０  地図ビューワ機能部
３００  記憶部
【図１】
2014016811.tif 000003
【図２】
2014016811.tif 000004
【図３】
2014016811.tif 000005
【図４】
2014016811.tif 000006
【図５】
2014016811.tif 000007
【図６】
2014016811.tif 000008
【図７】
2014016811.tif 000009
【図８】
2014016811.tif 000010
【図９】
2014016811.tif 000011
【図１０】
2014016811.tif 000012
【図１１】
2014016811.tif 000013
【図１２】
2014016811.tif 000014